(57)【要約】【課題】見守りサービスを実現するためにネットワークにかかる負荷を抑制できる見守りサービスシステム、携帯端末、および携帯端末の位置管理方法を提供すること。【解決手段】代表者の携帯端末１０ａは、ＧＰＳ機能により位置情報を取得し、周囲の所定範囲内にある各携帯端末１０ａ，１０ｂのＲＦＩＤタグからＩＤ情報を読み出す。そして、複数のＩＤ情報と、各ＩＤ情報に共通の位置情報を含む更新情報１００を中継局３０を介してサービスサーバ２０に送信する。複数のＩＤ情報に対する位置情報が共通化されているので、更新情報１００を送信する際にネットワークにかかる負荷も低減する。サービスサーバ２０は、受信した更新情報１００に含まれる各ＩＤ情報および位置情報をデータベース部２２で管理し、見守り装置４０からのサービス要求２００に応じて位置情報を提供することによって見守りサービスが実現される。【選択図】図１
2010147536.tif 000002
【特許請求の範囲】
【請求項１】
識別情報を記憶する無線タグが取り付けられた第１の携帯端末および第２の携帯端末と、
前記第１の携帯端末と無線通信可能な通信基地局と、
前記通信基地局とネットワークを介して接続され、前記第１の携帯端末および前記第２の携帯端末の各端末の識別情報を位置情報に対応付けて管理するサービスサーバと、
見守り対象とする携帯端末の識別情報を指定して、当該識別情報に対応する携帯端末の位置情報を前記サービスサーバに照会することにより、見守りサービスを提供する見守り装置とを含む見守りサービスシステムであって、
前記第１の携帯端末は、
衛星信号に基づく測位により前記位置情報を取得する衛星測位手段と、
前記無線タグとの無線通信を行う無線通信手段であって、当該無線通信手段から所定範囲内にある前記無線タグとの無線通信が可能な無線通信手段と、
前記無線通信手段の無線通信により、前記所定範囲内にある各無線タグから前記識別情報を取得する識別情報取得手段と、
前記取得した各識別情報を前記通信基地局を介して前記サービスサーバに送信するとともに、各識別情報の携帯端末に共通の位置情報として、前記測位された位置情報を前記サービスサーバに送信する情報送信手段とを備えることを特徴とする見守りサービスシステム。
【請求項２】
請求項１に記載の見守りサービスシステムにおいて、
前記見守り装置は、
前記見守り対象とする携帯端末の識別情報を含むサービス要求を、前記サービスサーバに送信するサービス要求送信手段を備え、
前記サービスサーバは、
前記サービス要求を受信するサービス要求受信手段と、
前記通信基地局を介して前記第１の携帯端末から受信した識別情報および位置情報を管理する情報管理手段と、
前記情報管理手段に管理された位置情報から、前記受信したサービス要求の識別情報に対応する位置情報を検索する検索手段と、
検索結果の位置情報を前記見守り装置に送信する検索結果送信手段とを備え、
前記見守り装置は、
前記検索結果の位置情報を前記サービスサーバから受信する検索結果受信手段と、
前記受信した検索結果の位置情報に基づき、前記見守り対象とした携帯端末の位置を通知する通知手段とをさらに備えることを特徴とする見守りサービスシステム。
【請求項３】
請求項２に記載の見守りサービスシステムにおいて、
前記検索手段は、前記情報管理手段に管理された情報から、前記検索結果の位置情報に対応する、前記サービス要求の識別情報とは異なる他の識別情報をさらに検索し、
前記検索結果送信手段は、前記検索結果の位置情報とともに、前記検索された他の識別情報を前記見守り装置に送信し、
前記通知手段は、前記検索結果受信手段が受信した他の識別情報に基づいて、前記見守り対象とした携帯端末と同じ前記所定範囲内に携帯端末がある旨を通知することを特徴とする見守りサービスシステム。
【請求項４】
請求項２または３に記載の見守りサービスシステムにおいて、
前記サービスサーバは、
前記第１の携帯端末を携帯するメンバーおよび前記第２の携帯端末を携帯するメンバーが所属する集団における各メンバーを示すメンバー情報が登録されたメンバー情報登録手段と、
前記メンバー情報に基づき、各メンバーが携帯する携帯端末の識別情報を、前記第１の携帯端末から受信したか否かを判断する判断手段と、
いずれかのメンバーが携帯する携帯端末の識別情報を受信していない場合に、前記受信していない識別情報の携帯端末を携帯するメンバーの不在通知を、前記見守り装置に送信する不在通知送信手段とをさらに備え、
前記見守り装置の通知手段は、前記不在通知の内容を通知することを特徴とする見守りサービスシステム。
【請求項５】
見守りサービスを提供するため、携帯端末の識別情報を位置情報に対応付けて管理するサービスサーバと、通信基地局を介して無線通信可能な携帯端末であって、
識別情報を記憶する無線タグと、
衛星信号に基づく測位により位置情報を取得する衛星測位手段と、
前記無線タグとの無線通信を行う無線通信手段であって、当該無線通信手段から所定範囲内にある前記無線タグとの無線通信が可能な無線通信手段と、
前記無線通信手段の無線通信により、前記所定範囲内にある各無線タグから前記識別情報を取得する識別情報取得手段と、
前記取得した各識別情報を前記通信基地局を介して前記サービスサーバに送信するとともに、各識別情報の携帯端末に共通の位置情報として、前記測位された位置情報を前記サービスサーバに送信する情報送信手段とを備えることを特徴とする携帯端末。
【請求項６】
識別情報を記憶する無線タグが取り付けられた第１の携帯端末および第２の携帯端末と、
前記第１の携帯端末と無線通信可能な通信基地局と、
前記通信基地局とネットワークを介して接続され、前記第１の携帯端末および前記第２の携帯端末の各端末の識別情報を位置情報に対応付けて管理するサービスサーバと、
見守り対象とする携帯端末の識別情報を指定して、当該識別情報に対応する携帯端末の位置情報を前記サービスサーバに照会することにより、見守りサービスを提供する見守り装置とを含む見守りサービスシステムにおける携帯端末の位置管理方法であって、
衛星信号に基づく測位により、前記第１の携帯端末の位置情報を取得する衛星測位ステップと、
前記第１の携帯端末から所定範囲内にある各無線タグとの無線通信を前記第１の携帯端末が行うことにより、前記所定範囲内にある各無線タグから識別情報を取得する識別情報取得ステップと、
前記取得した各識別情報を前記通信基地局を介して前記サービスサーバに送信するとともに、各識別情報の携帯端末に共通の位置情報として、前記測位された位置情報を前記サービスサーバに送信する情報送信ステップとを有することを特徴とする携帯端末の位置管理方法。
【発明の詳細な説明】
【技術分野】
【０００１】
本発明は、児童の登下校など、携帯端末を携帯する者の行動を遠隔から見守るための見守りサービスを提供する見守りサービスシステム、携帯端末、および携帯端末の位置管理方法に関する。
【背景技術】
【０００２】
従来、ＧＰＳ（Global Positioning System）機能付きの携帯端末を児童に携帯させ、学校などに設置された見守り装置が、携帯端末のＧＰＳ機能により測位された位置情報をネットワークを介して児童の携帯端末から受信することにより、携帯端末の位置情報を管理するようにしたシステムが知られている（例えば、特許文献１参照）。このシステムでは、保護者などの観察者は、観察者の端末装置を用いて見守り装置に問い合わせることによって、児童が携帯する携帯端末の位置、すなわち児童がいる位置を知らせる見守りサービスを受けることができる。
【０００３】
【特許文献１】特開２００８−３６９０号公報
【発明の開示】
【発明が解決しようとする課題】
【０００４】
しかしながら、特許文献１に記載のシステムでは、個々の携帯端末が見守り装置に対して位置情報を送信するようになっているので、例えば、登下校の集団を構成する複数名の児童の位置を管理しようとする場合、ネットワークを介して各児童のそれぞれの携帯端末から見守り装置に位置情報が送信されることになる。すなわち、登下校の集団にＮ（Ｎは２以上の整数）名の児童がいる場合であれば、各児童の携帯端末から位置情報が送信されることになるため、位置情報がＮ回送信されることになる。このように、複数名のメンバーについて位置を管理しようとする場合、管理対象とする人数分の位置情報が送信されることになるので、ネットワーク上のトラフィック量が増大する。このため、ネットワークにかかる負荷が大きくなってしまうという課題があった。
【課題を解決するための手段】
【０００５】
本発明は、上述の課題の少なくとも一部を解決するためになされたものであり、以下の形態または適用例として実現することが可能である。
【０００６】
［適用例１］識別情報を記憶する無線タグが取り付けられた第１の携帯端末および第２の携帯端末と、前記第１の携帯端末と無線通信可能な通信基地局と、前記通信基地局とネットワークを介して接続され、前記第１の携帯端末および前記第２の携帯端末の各端末の識別情報を位置情報に対応付けて管理するサービスサーバと、見守り対象とする携帯端末の識別情報を指定して、当該識別情報に対応する携帯端末の位置情報を前記サービスサーバに照会することにより、見守りサービスを提供する見守り装置とを含む見守りサービスシステムであって、前記第１の携帯端末は、衛星信号に基づく測位により前記位置情報を取得する衛星測位手段と、前記無線タグとの無線通信を行う無線通信手段であって、当該無線通信手段から所定範囲内にある前記無線タグとの無線通信が可能な無線通信手段と、前記無線通信手段の無線通信により、前記所定範囲内にある各無線タグから前記識別情報を取得する識別情報取得手段と、前記取得した各識別情報を前記通信基地局を介して前記サービスサーバに送信するとともに、各識別情報の携帯端末に共通の位置情報として、前記測位された位置情報を前記サービスサーバに送信する情報送信手段とを備えることを特徴とする見守りサービスシステム。
【０００７】
この構成によれば、第１の携帯端末に備わる無線通信手段から所定範囲内にある第１の携帯端末および第２の携帯端末の各識別情報とともに、第１の携帯端末に備わる衛星測位手段により測位された位置情報が、各識別情報の携帯端末に共通の位置情報としてサービスサーバに送信される。複数の識別情報に対する位置情報が共通とされることにより、特に、第１の携帯端末および第２の携帯端末の各端末から見守り装置に位置情報を送信する場合に比べて、通信基地局、サービスサーバ間のネットワーク上のトラフィック量が低減する。したがって、見守りサービスを実現するために、ネットワークにかかる負荷を抑制することができる。例えば、登下校の集団に含まれる各児童を見守ることができる見守りサービスを、ネットワークへの小さい負荷で実現することが可能である。
【０００８】
［適用例２］上記見守りサービスシステムにおいて、前記見守り装置は、前記見守り対象とする携帯端末の識別情報を含むサービス要求を、前記サービスサーバに送信するサービス要求送信手段を備え、前記サービスサーバは、前記サービス要求を受信するサービス要求受信手段と、前記通信基地局を介して前記第１の携帯端末から受信した識別情報および位置情報を管理する情報管理手段と、前記情報管理手段に管理された位置情報から、前記受信したサービス要求の識別情報に対応する位置情報を検索する検索手段と、検索結果の位置情報を前記見守り装置に送信する検索結果送信手段とを備え、前記見守り装置は、前記検索結果の位置情報を前記サービスサーバから受信する検索結果受信手段と、前記受信した検索結果の位置情報に基づき、前記見守り対象とした携帯端末の位置を通知する通知手段とをさらに備えることを特徴とする見守りサービスシステム。
【０００９】
この構成によれば、見守り対象とする携帯端末の位置が見守り装置によって通知されるので、通知を受けた者は、見守り対象とした携帯端末の位置、すなわち、その携帯端末を携帯する者がいる位置を知って行動を見守ることができる。
【００１０】
［適用例３］上記見守りサービスシステムにおいて、前記検索手段は、前記情報管理手段に管理された情報から、前記検索結果の位置情報に対応する、前記サービス要求の識別情報とは異なる他の識別情報をさらに検索し、前記検索結果送信手段は、前記検索結果の位置情報とともに、前記検索された他の識別情報を前記見守り装置に送信し、前記通知手段は、前記検索結果受信手段が受信した他の識別情報に基づいて、前記見守り対象とした携帯端末と同じ前記所定範囲内に携帯端末がある旨を通知することを特徴とする見守りサービスシステム。
【００１１】
この構成によれば、見守り対象とした携帯端末の位置に加えて、その携帯端末と同じ所定範囲内に携帯端末がある旨が通知されるので、通知を受けた者は、見守り対象とした携帯端末を携帯する者の周囲に、携帯端末を携帯した者がいることを知ることができる。
【００１２】
［適用例４］上記見守りサービスシステムにおいて、前記サービスサーバは、前記第１の携帯端末を携帯するメンバーおよび前記第２の携帯端末を携帯するメンバーが所属する集団における各メンバーを示すメンバー情報が登録されたメンバー情報登録手段と、前記メンバー情報に基づき、各メンバーが携帯する携帯端末の識別情報を、前記第１の携帯端末から受信したか否かを判断する判断手段と、いずれかのメンバーが携帯する携帯端末の識別情報を受信していない場合に、前記受信していない識別情報の携帯端末を携帯するメンバーの不在通知を、前記見守り装置に送信する不在通知送信手段とをさらに備え、前記見守り装置の通知手段は、前記不在通知の内容を通知することを特徴とする見守りサービスシステム。
【００１３】
この構成によれば、集団に所属するメンバーのうちいずれかのメンバーが、第１の携帯端末からの所定範囲内にいない場合に、その見守り対象者の不在通知が見守り装置によって通知される。したがって、通知を受けた者は、集団に不在のメンバーを知ることができる。
【００１４】
［適用例５］見守りサービスを提供するため、携帯端末の識別情報を位置情報に対応付けて管理するサービスサーバと、通信基地局を介して無線通信可能な携帯端末であって、識別情報を記憶する無線タグと、衛星信号に基づく測位により位置情報を取得する衛星測位手段と、前記無線タグとの無線通信を行う無線通信手段であって、当該無線通信手段から所定範囲内にある前記無線タグとの無線通信が可能な無線通信手段と、前記無線通信手段の無線通信により、前記所定範囲内にある各無線タグから前記識別情報を取得する識別情報取得手段と、前記取得した各識別情報を前記通信基地局を介して前記サービスサーバに送信するとともに、各識別情報の携帯端末に共通の位置情報として、前記測位された位置情報を前記サービスサーバに送信する情報送信手段とを備えることを特徴とする携帯端末。
【００１５】
この構成によれば、所定範囲内にある各携帯端末の識別情報とともに、衛星測位手段により測位された位置情報が、各識別情報の携帯端末に共通の位置情報としてサービスサーバに送信される。複数の識別情報に対する位置情報を共通とされるので、ネットワーク上のトラフィック量が低減する。
【００１６】
［適用例６］識別情報を記憶する無線タグが取り付けられた第１の携帯端末および第２の携帯端末と、前記第１の携帯端末と無線通信可能な通信基地局と、前記通信基地局とネットワークを介して接続され、前記第１の携帯端末および前記第２の携帯端末の各端末の識別情報を位置情報に対応付けて管理するサービスサーバと、見守り対象とする携帯端末の識別情報を指定して、当該識別情報に対応する携帯端末の位置情報を前記サービスサーバに照会することにより、見守りサービスを提供する見守り装置とを含む見守りサービスシステムにおける携帯端末の位置管理方法であって、衛星信号に基づく測位により、前記第１の携帯端末の位置情報を取得する衛星測位ステップと、前記第１の携帯端末から所定範囲内にある各無線タグとの無線通信を前記第１の携帯端末が行うことにより、前記所定範囲内にある各無線タグから識別情報を取得する識別情報取得ステップと、前記取得した各識別情報を前記通信基地局を介して前記サービスサーバに送信するとともに、各識別情報の携帯端末に共通の位置情報として、前記測位された位置情報を前記サービスサーバに送信する情報送信ステップとを有することを特徴とする携帯端末の位置管理方法。
【００１７】
このようにすれば、第１の携帯端末から所定範囲内にある第１の携帯端末および第２の携帯端末の各識別情報とともに、第１の携帯端末に備わる衛星測位手段により測位された位置情報が、各識別情報の携帯端末に共通の位置情報としてサービスサーバに送信される。複数の識別情報に対する位置情報が共通とされることにより、通信基地局、サービスサーバ間のネットワーク上のトラフィック量が低減するので、見守りサービスを実現するために、ネットワークにかかる負荷を抑制できる。
【発明を実施するための最良の形態】
【００１８】
以下、本発明の実施の形態について、図面を参照して説明する。
【００１９】
（第１の実施形態）
図１は、第１の実施形態に係る見守りサービスシステムの構成を示した図である。図１に示すように、見守りサービスシステム１は、複数の携帯端末１０（１０ａ，１０ｂ）と、サービスサーバ２０と、中継局（通信基地局）３０と、見守り装置４０とを備えている。なお、本見守りサービスシステム１は、観察者が、見守り装置４０を用いてサービスサーバ２０に問い合わせることにより、携帯端末１０を携帯する者がいる位置を遠隔から知り、その者の行動を見守ることを可能とする見守りサービスを提供するものである。本実施形態では、集団登下校時の１つの集団に所属する各児童が携帯端末１０を携帯し、各児童の保護者や教師などの観察者が、児童の登下校を見守る場合を例にして説明する。
【００２０】
まず、児童に携帯される携帯端末１０の構成について説明する。図２は、携帯端末１０のハードウェア構成を示した図である。図２に示すように、携帯端末１０は、ＣＰＵ１１と、ＲＡＭ１２と、ＲＯＭ１３と、ＧＰＳ部１４と、無線通信部（無線通信手段）１５と、電源装置１６とを備えている。この携帯端末の具体例としては、携帯電話やＰＨＳなどの通信機器を挙げることができる。
【００２１】
ＣＰＵ１１は、携帯端末１０の制御装置であり、ＲＡＭ１２を用いて、ＲＯＭ１３に記憶されたプログラムを実行することにより、携帯端末１０の動作を制御する。ＧＰＳ部１４は、測位衛星Ｓ（図１参照）からの衛星信号を受信する部分である。電源装置１６は、携帯端末１０の各部に電源を供給する装置である。
【００２２】
また、携帯端末１０には、ＲＦＩＤタグ１７が取り付けられている。このＲＦＩＤタグ１７は、端末固有のＩＤ情報（識別情報）が予め記憶された不揮発性メモリ１７１、無線通信用のアンテナ１７２、制御用のＩＣチップ（図示なし）などを有する。
【００２３】
無線通信部１５は、ＲＦＩＤタグ１７との無線通信を行うリーダ／ライタであり、無線通信可能な範囲は、無線通信部１５に備わるアンテナ１５１を略中心として所定距離より近い範囲（以下、「通信可能範囲Ｒ（図１参照）」という）内である。すなわち、携帯端末１０は、端末本体の周囲の通信可能範囲Ｒ内において、自身の携帯端末１０を含む各携帯端末１０に備わるＲＦＩＤタグ１７との無線通信が可能になっている。また、無線通信部１５は、通信可能範囲Ｒ内において中継局３０との無線通信も可能である。そして、通信可能範囲Ｒが、例えば、集団登下校における１つの集団の大きさ程度の範囲となるように、無線通信部１５が出力する電波の強弱は予め調整されている。
【００２４】
ここで、複数の携帯端末１０のうち、集団登下校の班長などの代表者が携帯する携帯端末１０については、見守りサービスを実現するための特別な機能を発揮するよう、児童の保護者や学校の教師などの観察者によって、他の携帯端末１０とは異なる設定がなされている。以下、代表者が携帯する携帯端末１０を「代表者の携帯端末１０ａ（第１の携帯端末）」といい、複数の携帯端末１０のうち代表者の携帯端末１０ａを除く端末を「他の携帯端末１０ｂ（第２の携帯端末）」ともいうこととする。なお、代表者の携帯端末１０ａと他の携帯端末１０ｂとのハードウェア構成はともに図２に示した同様の構成であり、機能が異なる。
【００２５】
代表者の携帯端末１０ａの機能構成を図３に示す。図３に示すように、代表者の携帯端末１０ａは、測位部（衛星測位手段）５０と、時刻情報取得部５１と、ＩＤ情報取得部（識別情報取得手段）５２と、更新情報送信部（情報送信手段）５３とを有する。これらの機能構成は、ＣＰＵ１１が、ＲＯＭ１３に記憶されたプログラムを実行することにより機能する。
【００２６】
測位部５０は、ＧＰＳ部１４が受信した衛星信号に基づいて測位位置の緯度および経度を算出することにより、代表者の携帯端末１０ａの位置情報を取得する。時刻情報取得部５１は、衛星信号に含まれる時刻情報に基づき、測位時の時刻情報を取得する。もっとも、時刻情報を取得する方法としては、これに限られることなく、例えば、携帯端末１０に内蔵された時計を参照して、測位時の時刻情報を取得するようにしてもよい。
【００２７】
ＩＤ情報取得部５２は、無線通信部１５の無線通信を利用して、通信可能範囲Ｒ内にある各ＲＦＩＤタグ１７からＩＤ情報を取得する。ここで、図１に示すように、通信可能範囲Ｒ内には、他の携帯端末１０ｂのＲＦＩＤタグ１７だけでなく、自身の携帯端末１０ａのＲＦＩＤタグ１７も含まれている。このため、ＩＤ情報取得部５２が、無線通信を利用してＩＤ情報を取得することにより、通信可能範囲Ｒの範囲内にある代表者の携帯端末１０ａおよび他の携帯端末１０ｂの各端末のＩＤ情報が取得される。もっとも、代表者の携帯端末１０ａのＩＤ情報については、ＩＤ情報取得部５２が、自身の端末装置に備わるＲＦＩＤタグ１７のメモリからＩＤ情報を直接読み出すようにして取得してもよい。
【００２８】
また、通信可能範囲Ｒ内に、集団に所属しない児童の携帯端末がある可能性もある。そこで、ＩＤ情報取得部５２は、登下校時の集団に所属する各児童の携帯端末１０のＩＤ情報が登録されたテーブル（図示なし）を参照して、通信可能範囲Ｒ内にある各ＲＦＩＤタグ１７から読み取ったＩＤ情報のうち、テーブルに登録済みのＩＤ情報を、該当するＩＤ情報として取得する。これにより、登下校時の集団に所属する児童のＩＤ情報だけが取得される。
【００２９】
そして、更新情報送信部５３は、無線通信部１５の無線通信を利用して、取得された各ＩＤ情報、位置情報および時刻情報を含む更新情報１００をサービスサーバ２０を宛先として中継局３０に送信する。
【００３０】
次に、中継局３０について説明する。中継局３０は、携帯端末１０、サービスサーバ２０間の通信を中継するための通信設備であり、代表者の携帯端末１０ａとサービスサーバ２０との通信を中継するため通学路付近など、街中の様々な場所に設けられている。この中継局３０の具体例としては、インターネットなどのネットワークに接続された自動販売機、または電柱、公衆電話、街灯、信号機などに設置された通信設備などを挙げることができる。
【００３１】
図１に示すように、中継局３０は、更新情報受信部３１と、通信中継部３２とを有する。更新情報受信部３１は、代表者の携帯端末１０ａから更新情報１００を受信する。通信中継部３２は、受信した更新情報１００をネットワークを介してサービスサーバ２０に送信することにより、代表者の携帯端末１０ａ、サービスサーバ２０間の通信を中継する。こうして、代表者の携帯端末１０ａから送信された更新情報１００は、中継局３０を介してサービスサーバ２０に送信される。
【００３２】
次に、サービスサーバ２０について説明する。サービスサーバ２０は、各携帯端末１０ａ，１０ｂの位置を一元管理する装置であり、例えば、見守りサービスを提供する携帯電話事業者のデータセンターなどに設置される。このサービスサーバ２０は、更新情報受信部２１と、データベース部（情報管理手段）２２とを有する。更新情報受信部２１は、代表者の携帯端末１０ａから送信された更新情報１００を中継局３０を介して受信する。そして、受信した更新情報１００のＩＤ情報および位置情報は、データベース部２２によって管理される。
【００３３】
また、サービスサーバ２０は、サービス要求受信部（サービス要求受信手段）２３と、検索部（検索手段）２４と、検索結果送信部（検索結果送信手段）２５とをさらに有する。サービス要求受信部２３は、後述するサービス要求２００を見守り装置４０から受信する。検索部２４は、サービス要求２００に指定された携帯端末１０の位置情報をデータベース部２２から検索する。そして、検索結果送信部２５は、検索結果の位置情報を見守り装置４０に送信する。すなわち、サービスサーバ２０は、見守り装置４０からのサービス要求２００に応じて、指定された携帯端末１０の位置情報を見守り装置４０に送信する機能を有している。
【００３４】
見守り装置４０は、観察者に対して見守りサービスを実際に提供するための端末であり、操作部４１と、サービス要求送信部（サービス要求送信手段）４２と、検索結果受信部（検索結果受信手段）４３と、表示パネル４４と、通知部（通知手段）４５とを有する。なお、この見守り装置４０の具体例としては、児童の自宅や学校に設置されたパーソナルコンピュータなどの情報端末の他、観察者が携帯する携帯電話やＰＨＳなどの携帯機器を挙げることができる。
【００３５】
操作部４１は、観察者によるユーザー操作の入力を受ける部分であり、キーボードやマウスなどの入力機器である。サービス要求送信部４２は、操作部４１へのユーザー操作に従って、見守り対象とする児童が携帯する携帯端末１０のＩＤ情報を含むサービス要求２００をサービスサーバ２０に送信する。検索結果受信部４３は、サービスサーバ２０から検索結果の位置情報を受信する。
【００３６】
通知部４５は、検索結果の通知画面を表示パネル４４に表示させることにより、検索結果の位置情報を観察者に通知する制御を行う。これにより、保護者などの観察者は、サービス要求２００に応じた児童の位置情報を知ることができる。すなわち、観察者は児童の見守りサービスを受けることができる。
【００３７】
以上に説明したように、本見守りサービスシステム１では、登下校の集団における代表者が所持する携帯端末１０ａが、通信可能範囲Ｒ内にある各携帯端末１０のＩＤ情報を含む更新情報１００をサービスサーバ２０に送信することにより、サービスサーバ２０によって登下校の集団に含まれる各児童がいる位置が管理される。そして、見守り装置４０からのサービス要求２００に応じて、サービスサーバ２０が、児童の位置情報を見守り装置４０に送信することによって、見守り装置４０から観察者に見守りサービスが提供される。
【００３８】
ここで、代表者の携帯端末１０ａが送信する更新情報１００のデータ構造について説明する。図４は、更新情報１００のデータ構造を示した図である。図４に示すように、更新情報１００は、ＩＤ情報リストと、位置情報と、時刻情報とを含む構成となっている。ＩＤ情報リストには、通信可能範囲Ｒ内にある各携帯端末１０から取得された複数のＩＤ情報が含まれている。位置情報は、代表者の携帯端末１０ａによって測位された位置情報（緯度情報および経度情報）であり、更新情報１００においては、複数のＩＤ情報に対して１つの位置情報が共通に対応するようになっている。こうして、各ＩＤ情報に対応する位置情報を共通化することにより、更新情報１００の情報量を低減している。なお、登下校時の１つの集団内においては、位置情報を共通に扱うこととしても、見守りサービスに要求される各携帯端末の位置精度は充分に満たすことができ、実用上の支障はない。
【００３９】
また、更新情報１００の時刻情報は、時刻情報取得部５１が取得した測位時の時刻情報であり、時刻情報についても、複数のＩＤ情報に対して１つの時刻情報が共通に対応する。
【００４０】
このように、複数の携帯端末１０の各ＩＤ情報に共通するものとして位置情報を送信することにより、送信される更新情報１００の情報量を低減することが、本見守りサービスシステム１の特徴の１つになっている。
【００４１】
次に、上述した見守りサービスシステム１において行われる処理について、フローチャートに従って詳細に説明する。
【００４２】
まず、更新情報１００をサービスサーバ２０に登録する際の処理について、図５のフローチャートに従って説明する。
【００４３】
例えば、予め設定された時刻や所定時間ごとなどの所定のタイミング、サービスサーバ２０から更新情報１００の送信が要求されたとき、または代表者の携帯端末１０ａを携帯する児童が中継局３０に近付き通信可能範囲Ｒ内に中継局３０が入ったときなどに、図５の処理が開始される。処理が開始されると、まず、代表者の携帯端末１０ａの測位部５０は、ＧＰＳによる測位を実施する（ステップＳ１００）。ここでは、測位部５０は、ＧＰＳ部１４に衛星信号を受信させ、受信した衛星信号に基づいて測位位置の緯度および経度を算出することにより、緯度情報および経度情報からなる位置情報を取得する。
【００４４】
次に、時刻情報取得部５１は、測位時の時刻情報を取得する（ステップＳ１１０）。そして、ＩＤ情報取得部５２は、ＲＦＩＤタグ１７からＩＤ情報を読み出す無線通信を無線通信部１５に行わせ、無線通信部１５の通信可能範囲Ｒ内にある各携帯端末１０からＩＤ情報を受信する（ステップＳ１２０）。これにより、無線通信部１５の通信可能範囲Ｒ内にある代表者の携帯端末１０ａおよび他の携帯端末１０ｂを含む各携帯端末１０、すなわち登下校時の集団内にいる各児童の携帯端末１０についてＩＤ情報が取得される。
【００４５】
次に、更新情報送信部５３は、無線通信部１５の無線通信により、サービスサーバ２０を宛先に指定して、取得したＩＤ情報、位置情報および時刻情報を含む更新情報１００を中継局３０に送信する（ステップＳ１３０）。なお、更新情報１００を送信する際には、更新情報１００に所定の圧縮処理を施し、更新情報１００の情報量を低減するようにしてもよい。
【００４６】
更新情報１００を送信すると、代表者の携帯端末１０ａが行う図５の処理は終了する。上述した処理において、ステップＳ１００の処理が衛星測位ステップ、ステップＳ１２０の処理が識別情報取得ステップ、ステップＳ１３０の処理が情報送信ステップに相当する。
【００４７】
ここで、表者の携帯端末１０ａが更新情報１００を送信したときに、図１に示すように、代表者の携帯端末１０ａの通信可能範囲Ｒ内に中継局３０があった場合、中継局３０側の処理において、更新情報受信部３１は、代表者の携帯端末１０ａから更新情報１００を受信する（ステップＳ２００）。そして、通信中継部３２が、受信した更新情報１００を、指定された宛先のサービスサーバ２０に送信することにより、更新情報１００の通信が中継される（ステップＳ２１０）。
【００４８】
そして、サービスサーバ２０側の処理において、更新情報受信部２１が、中継局３０から更新情報１００を受信すると（ステップＳ３００）、データベース部２２は、受信した更新情報１００を追加登録する（ステップＳ３１０）。
【００４９】
こうして、代表者の携帯端末１０ａから通信可能範囲Ｒ内にいる各児童の携帯端末１０のＩＤ情報および位置情報が、サービスサーバ２０のデータベース部２２に新たに登録されることによって、データベース部２２は、登下校時の集団に含まれる各児童の位置を管理した状態に更新される。
【００５０】
なお、代表者の携帯端末１０ａが、例えば、時刻１、時刻２などの複数のタイミングで図５の処理を実行することによって、それぞれの時刻に更新情報１００が送信された場合、サービスサーバ２０は、受信したそれぞれの更新情報１００に対して図５の処理を行う。これにより、図６に例として示すように、時刻１、時刻２のそれぞれについての更新情報１００がデータベース部２２に登録される。
【００５１】
次に、本見守りサービスシステム１において、保護者などの観察者が、見守り装置４０を用いて見守りサービスを受ける際の処理について図７のフローチャートに従って説明する。
【００５２】
例えば、観察者が、見守り装置４０の操作部４１を操作して、見守りの対象とする児童について見守りサービスを受ける旨の指示を入力すると、図７の処理が開始される。処理が開始されると、まず、見守り装置４０のサービス要求送信部４２は、サービスサーバ２０にサービス要求２００を送信する（ステップＳ４００）。なお、このサービス要求２００には、見守り対象とする児童の携帯端末１０に対応するＩＤ情報が指定されている。
【００５３】
そして、サービスサーバ２０側の処理において、サービス要求受信部２３が、見守り装置４０からサービス要求２００を受信すると（ステップＳ５００）、検索部２４は、データベース部２２に登録された位置情報および時刻情報のうちから、サービス要求２００に指定されたＩＤ情報に該当する位置情報および時刻情報を検索する（ステップＳ５１０）。そして、検索結果送信部２５は、検索結果の位置情報および時刻情報を、見守り装置４０に送信する（ステップＳ５２０）。
【００５４】
なお、図６に示したように、複数の時刻についての更新情報１００がデータベース部２２に登録されており、サービス要求２００のＩＤ情報に対応する複数の位置情報があった場合、検索部２４は、それぞれの時刻情報を参照することにより、複数の位置情報のうち最新の位置情報を検索する。そして、検索結果送信部２５は、検索された最新の位置情報および時刻情報を見守り装置４０に送信する。
【００５５】
再び、見守り装置４０側の処理に戻って、検索結果受信部４３が、サービスサーバ２０から検索結果の位置情報を受信すると（ステップＳ４１０）、通知部４５は、受信した検索結果に含まれる位置情報に基づく通知画面を表示パネル４４に表示させる。これにより、児童がいる位置が観察者に通知される（ステップＳ４２０）。
【００５６】
図８は、通知画面の表示例を示した図である。図８に示すように、通知画面Ｇには、位置情報が示す位置の周辺地図が表示されるとともに、検索結果の位置情報に対応する地図上の位置には、児童がいることを示すアイコンＡＩが表示される。上述したように、無線通信部１５の通信可能範囲Ｒ内に中継局３０があるときに、携帯端末１０から送信された更新情報１００が中継局３０に送信されるので、通知画面Ｇには、図８に破線にて示した自動販売機や電柱などの中継局３０の周辺に児童がいるときの位置が表示されることになる。また、通知画面Ｇには、受信した時刻情報に基づいて、アイコンＡＩが示す位置に児童がいた時点の時刻が表示される。この通知画面Ｇを確認することによって、観察者は、児童がいる位置およびその位置にいたときの時刻を知ることができ、児童の登下校を見守ることができる。すなわち、観察者に対して見守りサービスが提供される。
【００５７】
以上に述べたように、本実施形態の見守りサービスシステム１では、保護者や教師などの観察者は、見守りサービスを受けることによって、見守り装置４０の設置場所にいながらにして、集団登下校中の児童がいる位置と、その位置にいたときの時刻を知ることができる。これにより、児童の保護者であれば自宅、教師であれば学校などの遠隔地から、集団登下校中の児童の行動を見守ることができる。
【００５８】
また、図４に示したように、更新情報１００には、複数のＩＤ情報に対して共通する１つの位置情報を含む構成となっており、複数のＩＤ情報に対する位置情報が共通化されているので、代表者の携帯端末１０ａがサービスサーバ２０に更新情報１００を送信する際に、実際に送信される情報の情報量が低減する。したがって、ネットワーク上を流れる更新情報１００のトラフィック量が大幅に低減し、見守りサービスを実現するためにネットワークにかかる負荷を抑制することができる。また、見守りサービスを実現するための通信コストを抑制することもできる。
【００５９】
同様に、更新情報１００においては、複数のＩＤ情報に対して１つの時刻情報が対応するようになっているので、時刻情報を共通化した分についてもネットワーク上のトラフィック量を低減することができる。
【００６０】
なお、登下校時の児童を見守りの対象とする場合であれば、登下校の時間帯は学校、地域によらずにほぼ同じであるため、登下校の時間帯になると、多数の集団のそれぞれにある代表者の携帯端末１０ａからいっせいに更新情報１００が送信される可能性がある。本実施形態の見守りサービスシステム１では、このような特定の時間帯に、ネットワークに集中的にかかる負荷を抑制することができる。
【００６１】
（第２の実施形態）
次に、第２の実施形態について説明する。第２の実施形態における見守りサービスシステム１が提供する見守りサービスは、サービス要求２００のＩＤ情報に対応する児童とともに、その周囲にいる児童の存在についても通知するものである。なお、第２の実施形態における見守りサービスシステム１の構成は第１の実施形態と同様であるため、第１の実施形態と同じ符号を付与して、詳細な説明を省略するものとする。また、更新情報１００をサービスサーバ２０に登録する際の図５の処理についても、第１の実施形態と同様であるため、詳細な説明を省略する。
【００６２】
以下、第２の実施形態の見守りサービスシステム１において、観察者が、見守り装置４０を用いて見守りサービスを受けようとする際の処理について、図９のフローチャートに従って説明する。
【００６３】
図９の処理が開始されると、まず、見守り装置４０のサービス要求送信部４２は、児童が携帯する携帯端末１０のＩＤ情報を含むサービス要求２００をサービスサーバ２０に送信する（ステップＳ６００）。
【００６４】
そして、サービスサーバ２０側の処理において、サービス要求受信部２３が、見守り装置４０からのサービス要求２００を受信すると（ステップＳ７００）、検索部２４は、データベース部２２に登録された更新情報１００のうちから、サービス要求２００に指定されたＩＤ情報に該当する位置情報および時刻情報を検索する（ステップＳ７１０）。
【００６５】
次に、検索部２４は、データベース部２２に登録された更新情報１００のうちから、検索結果の位置情報および時刻情報と同じ位置情報および時刻情報に対応するＩＤ情報を検索する（ステップＳ７２０）。
【００６６】
次に、検索結果送信部２５は、ステップＳ７１０の検索により得られた位置情報およびステップＳ７２０の検索により得られたＩＤ情報を、見守り装置４０に送信する（ステップＳ７３０）。
【００６７】
再び、見守り装置４０側の処理に戻って、検索結果受信部４３が、サービスサーバ２０から位置情報およびＩＤ情報を受信すると（ステップＳ６１０）、通知部４５は、受信したＩＤ情報に対応する者を特定する（ステップＳ６２０）。ここでは、例えば、各児童が携帯する携帯端末１０のＩＤ情報と、その児童の名称とを対応付けた所定のテーブル（図示なし）を参照することにより、ＩＤ情報に対応する者を特定する。そして、通知部４５は、表示パネル４４に通知画面を表示させることにより、観察者に対して児童がいる位置およびその周囲にいる児童を通知する（ステップＳ６３０）。
【００６８】
図１０は、第２の実施形態における通知画面の表示例を示した図である。図１０に示すように、通知画面Ｇには、検索結果に含まれる位置情報に基づく位置に、サービス要求２００に指定されたＩＤ情報の携帯端末１０を携帯する児童を表すアイコンＡＩａに加えて、その児童の周辺にいる児童を表すアイコンＡＩｂが表示される。そして、各アイコンＡＩａ，ＡＩｂには、ステップＳ６３０において特定された児童の名前が表示される。
【００６９】
図１０を例に説明した通知画面Ｇを確認することによって、観察者は、登下校時の集団に所属する各児童が、集団内に実際にいることを確認して、各児童の登下校を見守ることができる。また、第１の実施形態と同様に、更新情報１００の情報量を小さくしているので、第２の実施形態では、ネットワーク上のトラフィック量を低減して負荷を抑制しながら、複数の児童の登下校を見守ることができる見守りサービスが提供される。
【００７０】
（第３の実施形態）
次に、第３の実施形態について説明する。第３の実施形態における見守りサービスシステム１が提供する見守りサービスは、登下校の集団に不在の児童の保護者に対して児童がいない旨を知らせるものである。なお、第３の実施形態においても、第１の実施形態と同様の構成については同じ符号を付与して、詳細な説明を省略する。
【００７１】
図１１は、第３の実施形態に係るサービスサーバの構成を示した図である。図１１に示すように、サービスサーバ２０は、第１の実施形態に示した構成に加えて、メンバー情報登録部（メンバー情報登録手段）２６と、不在者判断部（判断手段）２７と、不在通知送信部（不在通知送信手段）２８とをさらに備えた構成となっている。メンバー情報登録部２６には、登下校時の集団に所属する各メンバーのＩＤ情報を示すメンバー情報が予め登録されている。不在者判断部２７は、携帯端末１０から受信したＩＤ情報とメンバー情報とを照合して、集団登校の集団に不在となっている児童がいるか否かを判断する。そして、不在通知送信部２８は、不在の児童がいた場合に、対応する見守り装置４０に不在通知を送信する処理を行う。
【００７２】
図１２は、第３の実施形態の見守りサービスシステム１における処理の流れを示したフローチャートである。なお、図１２のフローチャートに示すステップＳ８００〜Ｓ８３０、ステップＳ９００，Ｓ９１０の処理は、それぞれ、第１の実施形態におけるステップＳ１００〜Ｓ１３０、ステップＳ２００およびステップＳ２１０の処理と同様であるため説明を省略する。
【００７３】
サービスサーバ２０側の処理において、更新情報受信部２１が、中継局３０を介して代表者の携帯端末１０ａから更新情報１００を受信した後（ステップＳ１０００）、データベース部２２が、受信した更新情報１００を追加登録すると（ステップＳ１０１０）、不在者判断部２７は、不在者がいるか否かを判断する（ステップＳ１０２０）。メンバー情報登録部２６に登録されたメンバー情報に含まれる全てのＩＤ情報が、受信した更新情報１００に含まれていれば、登下校の集団に所属する全ての児童が集団内にいることとなり「不在者なし」と判断されて（ステップＳ１０２０：Ｎｏ）、図１２の処理は終了する。
【００７４】
一方、メンバー情報に含まれるいずれかのＩＤ情報が、受信した更新情報１００に含まれていなければ、登下校の集団に、所属する全ての児童が揃っていないことになるため、「不在者あり」と判断される（ステップＳ１０２０：Ｙｅｓ）。この場合、不在通知送信部２８は、児童の保護者または学校の教師が所有する見守り装置４０に対して、不在通知を送信する（ステップＳ１０３０）。
【００７５】
見守り装置４０が不在通知を受信すると（ステップＳ１１００）、例えば、児童が登下校の集団にいない旨の画面を通知部４５に表示させたり、その旨を伝える音声を出したりさせることにより、児童の不在を観察者に通知する（ステップＳ１１１０）。
【００７６】
第３の実施形態では、児童の保護者などの観察者は、登下校の集団から児童がいなくなった場合に、その児童が集団にいない旨が通知される。これにより、観察者は、児童の登下校をより簡単に見守ることができるようになり、観察者にかかる負担が低減する。
【００７７】
以上、第１の実施形態ないし第３の実施形態について説明したが、これに限られることなく、その趣旨を逸脱しない様々な形態としてもよい。以下、変形例について説明する。
【００７８】
（変形例１）上記第１の実施形態ないし第３の実施形態では、集団登下校中の児童を見守る場合を例に説明したが、これに限られることなく、集団を構成する複数のメンバーであれば同様にして見守ることができる。例えば、旅行のツアーなどの集団を構成する各メンバーに携帯端末を携帯させることで、引率者などの観察者が各メンバーがいる位置を確認できるようにしてもよい。
【００７９】
（変形例２）上記第１の実施形態ないし第３の実施形態では、他の携帯端末１０ｂについてもＧＰＳ部１４を有した構成としたが、他の携帯端末１０ｂについてはＧＰＳ部１４は必須の構成ではない。他の携帯端末１０ｂについてはＧＰＳ部１４を有しない構成とすることにより、見守りサービスシステムをより低コストで構築できるようになる。また、他の携帯端末１０ｂは、児童が携帯するものであればよく、携帯電話などの通信機器に限られない。例えば、他の携帯端末１０ｂは、ＲＦＩＤタグ１７が取り付けられた防犯用ブザーであってもよい。
【００８０】
（変形例３）上記第１の実施形態では、サービス要求２００のＩＤ情報に該当する複数組の位置情報および時刻情報がデータベース部２２に登録されている場合、時刻情報に基づいて最新の位置情報を見守り装置に送信するようにした。第３の変形例としては、複数組の位置情報および時刻情報を見守り装置４０に送信するようにしてもよい。この場合、図１３に示すように、通知画面Ｇに、複数の位置情報に基づいて複数の位置に、児童がいる位置を示すアイコンＡＩを表示させるとともに、各アイコンＡＩには、時刻情報に基づいて児童がその位置にいたときの時刻を表示させるとよい。このようにすれば、観察者は、児童の登下校の経過を把握することができる。
【００８１】
（変形例４）上記第１の実施形態ないし第３の実施形態では、中継局３０、サービスサーバ２０、および見守り装置４０がインターネットに接続した形態であったが、これに限られない。例えば、中継局３０、サービスサーバ２０間については専用回線のネットワークを介して通信する形態であってもよいし、サービスサーバ２０、見守り装置４０間については携帯電話通信網によって通信する形態であってもよい。
【００８２】
（変形例５）上記第１の実施形態ないし第３の実施形態では、自動販売機や電柱に設置された通信設備などの中継局を中継して、代表者の携帯端末１０ａからサービスサーバ２０に更新情報を送信するようにしたが、携帯電話の通信基地局を中継するようにしてもよい。すなわち、代表者の携帯端末１０ａは、携帯電話の通信基地局から携帯電話通信網を介してサービスサーバ２０に更新情報を送信してもよい。
【図面の簡単な説明】
【００８３】
【図１】第１の実施形態に係る見守りサービスシステムの構成を示す図。
【図２】携帯端末のハードウェア構成を示す図。
【図３】携帯端末の機能構成を示す図。
【図４】更新情報のデータ構造を示した図。
【図５】更新情報をサービスサーバに登録する際の処理の流れを示すフローチャート。
【図６】データベース部に登録された更新情報を説明するための図。
【図７】見守り装置を用いて見守りサービスを受ける際の処理の流れを示すフローチャート。
【図８】通知画面の表示例を示す図。
【図９】第２の実施形態の見守りサービスシステムにおける処理の流れを示すフローチャート。
【図１０】通知画面の表示例を示す図。
【図１１】第３の実施形態におけるサービスサーバの構成を示す図。
【図１２】見守りサービスシステムにおける処理の流れを示すフローチャート。
【図１３】変形例を説明するための図。
【符号の説明】
【００８４】
１…見守りサービスシステム、１０…携帯端末、１０ａ…第１の携帯端末としての代表者の携帯端末、１０ｂ…第２の携帯端末としての他の携帯端末、１１…ＣＰＵ、１２…ＲＡＭ、１３…ＲＯＭ、１４…ＧＰＳ部、１５…無線通信手段としての無線通信部、１６…電源装置、１７…無線タグとしてのＲＦＩＤタグ、２０…サービスサーバ、２１…更新情報受信部、２２…情報管理手段としてのデータベース部、２３…サービス要求受信手段としてのサービス要求受信部、２４…検索手段としての検索部、２５…検索結果送信手段としての検索結果送信部、２６…メンバー情報登録手段としてのメンバー情報登録部、２７…判断手段としての不在者判断部、２８…不在通知送信手段としての不在通知送信部、３０…通信基地局としての中継局、３１…更新情報受信部、３２…通信中継部、４０…見守り装置、４１…操作部、４２…サービス要求送信手段としてのサービス要求送信部、４３…検索結果受信手段としての検索結果受信部、４４…表示パネル、４５…通知手段としての通知部、５０…衛星測位手段としての測位部、５１…時刻情報取得部、５２…識別情報取得手段としてのＩＤ情報取得部、５３…情報送信手段としての更新情報送信部、１００…更新情報、Ｓ…測位衛星、Ｇ…通知画面。
【図１】
2010147536.tif 000003
【図２】
2010147536.tif 000004
【図３】
2010147536.tif 000005
【図４】
2010147536.tif 000006
【図５】
2010147536.tif 000007
【図６】
2010147536.tif 000008
【図７】
2010147536.tif 000009
【図８】
2010147536.tif 000010
【図９】
2010147536.tif 000011
【図１０】
2010147536.tif 000012
【図１１】
2010147536.tif 000013
【図１２】
2010147536.tif 000014
【図１３】
2010147536.tif 000015